(57)【要約】  本発明は、少なくとも１つのエレベータのかご１１を備えるエレベータ装置１０を用いて建物内の人を輸送するための方法および構成に関する。人は少なくとも１つの第１または１つの第２アクセス階床Ｓ１、Ｓ２で前記エレベータのかご１１に乗り込む。輸送効率を上げるために少なくとも１つの目的階Ｓ３、Ｓ４、Ｓ５、Ｓ６、Ｓ７は、決まった方式で、エレベータのかご１１が第１のアクセス階Ｓ１から関連する第１の目的階Ｓ４、Ｓ５に、および第２のアクセス階Ｓ２から関連する第２の目的階Ｓ５、Ｓ６、Ｓ７に移動するように各アクセス階Ｓ１、Ｓ２に関連付けられている。
2008521731.tif 000002
【特許請求の範囲】
【請求項１】
少なくとも１つのエレベータのかご（１１）を備え、前記エレベータのかご（１１）に少なくとも１つの第１または第２のアクセス階床（Ｓ１、Ｓ２）で人が乗り込むエレベータ装置（１０）を用いて建物内で人を輸送するための方法であって、少なくとも１つの行き先階床（Ｓ４、Ｓ５、Ｓ６、Ｓ７）が各アクセス階床（Ｓ１、Ｓ２）に固定的に割り当てられていることを特徴とする、方法。
【請求項２】
第１のアクセス階床（Ｓ１）でエレベータのかご（１１）に乗る人が、第１の固定的に割り当てられた行き先階床（Ｓ４、Ｓ５）に輸送され、第２のアクセス階床（Ｓ２）でエレベータのかご（１１）に乗る人が、第２の固定的に割り当てられた行き先階床（Ｓ５、Ｓ６、Ｓ７）に輸送されることを特徴とする、請求項１に記載の方法。
【請求項３】
同じ行き先階床（Ｓ４、Ｓ５、Ｓ６、Ｓ７）をもつ人が同じアクセス階床（Ｓ１、Ｓ２）に案内されることを特徴とする、請求項１または２に記載の方法。
【請求項４】
行き先階床（Ｓ４、Ｓ５）の第１のグループ（Ｇ１）が、第１のアクセス階床（Ｓ１）に固定的に割り当てられ、行き先階床（Ｓ５、Ｓ６、Ｓ７）の第２のグループ（Ｇ２）が、第２のアクセス階床（Ｓ２）に固定的に割り当てられていることを特徴とする、請求項１から３のいずれか一項に記載の方法。
【請求項５】
行き先階床（Ｓ４、Ｓ５、Ｓ６、Ｓ７）のグループ（Ｇ１、Ｇ２）が、共通の行き先階床（Ｓ５）を有することを特徴とする、請求項１から４のいずれか一項に記載の方法。
【請求項６】
人のそれぞれの行き先階床（Ｓ４、Ｓ５、Ｓ６、Ｓ７）に則った、人の第１または第２のアクセス階床（Ｓ１、Ｓ２）への割り当てが、エレベータの制御とは無関係に建物の制御装置（１２）によって行われることを特徴とする、請求項１から５のいずれか一項に記載の方法。
【請求項７】
アクセス階床（Ｓ１、Ｓ２）へのアクセス許可が、建物の制御ユニット（１２）によってチェックされることを特徴とする、請求項６に記載の方法。
【請求項８】
アクセス階床（Ｓ１、Ｓ２）へのアクセス許可をチェックした後、前記アクセス階床（Ｓ１、Ｓ２）へ割り当てられた行き先階床（Ｓ４、Ｓ５、Ｓ６、Ｓ７）が、アクセス許可の種類に応じて変更されることを特徴とする、請求項７に記載の方法。
【請求項９】
限られたアクセス許可をもつ人が、限られた、固定的に割り当てられた行き先階床（Ｓ５、Ｓ６、Ｓ７）だけに到達することができるアクセス階床（Ｓ２）に割り当てられることを特徴とする、請求項１から８のいずれか一項に記載の方法。
【請求項１０】
行き先階床（Ｓ４、Ｓ５、Ｓ６、Ｓ７）のアクセス階床（Ｓ１、Ｓ２）への固定した割り当てが、時間に依存する方式で実施されることを特徴とする、請求項１から９のいずれか一項に記載の方法。
【請求項１１】
少なくとも１つのエレベータのかご（１１）を備え、少なくとも２つのアクセス階床（Ｓ１、Ｓ２）が設けられているエレベータ装置（１０）をもつ建物内で人を輸送するための構成であって、それぞれの行き先階床（Ｓ４、Ｓ５、Ｓ６、Ｓ７）の少なくとも１つが固定的にアクセス階床（Ｓ１、Ｓ２）の各々に割り当てられていることを特徴とする、構成。
【請求項１２】
人を、人の行き先階床（Ｓ４、Ｓ５、Ｓ６、Ｓ７）にしたがって個々のアクセス階床（Ｓ１、Ｓ２）に割り当てるために設けられている建物の制御装置（１２）を特徴とする、請求項１１に記載の構成。
【請求項１３】
建物の制御ユニット（１２）に接続され、人のアクセス許可をチェックするために設けられている少なくとも１つのアクセスターミナル（１３）を特徴とする、請求項１２に記載の構成。
【請求項１４】
アクセス許可に応じてアクセス階床（Ｓ１、Ｓ２）を開閉するために設けられているアクセス障害（１５、１５ａ、１５ｂ）を特徴とする、請求項１１から１３のいずれか一項に記載の構成。
【請求項１５】
行き先階床（Ｓ４、Ｓ５、Ｓ６、Ｓ７）のアクセス階床（Ｓ１、Ｓ２）への割り当てを指示するために設けられている指示装置（１４）を特徴とする、請求項１１から１４のいずれか一項に記載の構成。
【請求項１６】
エレベータのかご（１６、１７）が互いに分離したいくつかの部分かご（１６ａ、１６ｂ、１７ｃ、１７ｄ）を備えることを特徴とする請求項１１から１５のいずれか一項に記載の構成。
【発明の詳細な説明】
【技術分野】
【０００１】
本発明は、少なくとも１つのエレベータのかごを備え、人が少なくとも１つの第１のアクセス階床または第２のアクセス階床でそのかごに乗り込むエレベータ装置を用いて建物内で人を輸送するための方法に関する。本発明は、さらに、少なくとも１つのエレベータのかごを備える少なくとも１つのエレベータ装置をもち、少なくとも２つのアクセス階床が設けられた建物内において人を輸送するための構成に関する。
【背景技術】
【０００２】
近代的な高層建築では人を輸送するためのエレベータ装置が使用されている。人は通常同じような始業時間にエレベータ装置によりそれぞれの作業または事務所階床に、または同じような終業時間にアクセス階床に輸送される。これらの時間ではエレベータ装置の負荷が高いので、人の輸送で有効性を増すために複雑なエレベータ制御プログラムが使用されている。例えば行き先呼び制御が使用され、乗客はそれを手段として入力装置を用いて彼／彼女の移動行き先を入力する。次いで、エレベータの制御装置が、所望の行き先階床に基づいて適切な人にエレベータのかごを割り当てる。したがって、共通の行き先階床を有する人がエレベータのかごに集められ、それによってエレベータのかごの走行時間が数多くの中間階停止により長くなることがない。
【０００３】
複式のかごを伴うエレベータ装置を制御するための制御装置がＥＰ１４１８１４７から知られている。複式のかごは、いくつかのかごデッキを有し、そのかごのデッキは主停止ポイントにおいていくつかの主停止平面を経由して同時にアクセス可能である。複式のかごは、１回の停止によって建物の２つの階床を同時にサービスすることができる。それを用いて乗客が彼または彼女の所望の行き先階床を入力することができる呼び登録装置が主停止ポイントに設けられる。建物をより急速に満たすことを可能にするために、かつ複式のかごの中間階停止の数を最低限にするために演算器が設けられ、その演算器は、主停止ポイントでの乗客の行き先呼び入力に基づき、および既に割り当てられたおよび／または登録された移動要求に基づき、複式のかごのどのデッキが主停止ポイントで乗客に割り当てられるかを確実にするように構築されている。したがって乗客は、彼または彼女の行き先呼び入力に対応しており、複式のかごを用いて人を効率的に輸送することを可能にする平面に割り当てられる。行き先呼びを入力した後、乗客は適切な平面で複式のかごに乗り込むために対応する平面に行かなくてはならない。
【発明の開示】
【発明が解決しようとする課題】
【０００４】
行き先呼び制御を用いて人を複式のかごに割り当てることは、行き先呼び制御を用いて人を単一のエレベータのかごに割り当てることであっても複雑な制御を必要とする。この行き先呼び制御にもかかわらず、例えば行き先呼びを入力しなかった乗客がエレベータのかごに乗り込むので、特にピーク時に人を輸送することに遅れが発生する。
【０００５】
この背景に対して本発明の目的は、建物の階床での中間階停止の数が最小限にされ、より短い移動時間が達成可能である、建物内で人を輸送するための方法および構成を指し示すこととして生ずる。
【課題を解決するための手段】
【０００６】
本発明の基になる考え方は、近代的な事務所建築が通常いくつかのアクセス階床を有するということに基づいている。それらを経由して建物が開かれている複数のアクセス階床が存在する場合、少なくとも１つの行き先階床が各アクセス階床に割り当てられる場合、エレベータ装置の性能能力を改善することができる。本発明による設計の場合エレベータのかごは、第１のアクセス階床から少なくとも１つの固定的に割り当てられた第１の行き先階床に移動する。同様にエレベータのかごは第２のアクセス階床から少なくとも１つの固定的に割り当てられた第２の行き先階床に移動し、その行き先階床は原理的に第１の行き先階床とは異なる。本発明によれば、乗客が中間階停止をすることなくアクセス階床から割り当てられた行き先階床に輸送されるように乗客をアクセス階床に案内することができる。人をそれぞれの的確なアクセス階床に案内することを通して同じ行き先階床をもつ人が同じアクセス階床でエレベータのかごに乗り込む。エレベータのかごは、そこから対応する行き先階床へ直接移動する。
【０００７】
最先端技術から知られる、行き先呼び制御を用いたエレベータのかごの割り当てに対して、固定した行き先階床をもつアクセス階床への人の案内がここで実行される。
【０００８】
したがって、例えば同じ行き先階床に毎日移動する、関連する会社の従業員が常に同じアクセス階床でエレベータのかごに乗り込み、そこから行き先階床に移動することが保証される。異なる階床にベースを置く他の会社の人は、エレベータのかごがそこからその会社がその事務所を有する行き先階床へ移動する他のアクセス階床を使用する。さらなる階床へのエレベータのかごでの輸送は、中間階停止を伴わずに行われる。
【０００９】
簡単な実施形態では本発明は、特に適切な時間に第１のアクセス階床から第１の固定して割り当てられた行き先階床に移動し、第２のアクセス階床から第２の固定して割り当てられた行き先階床に移動するエレベータのかごで実施することができ、その第１と第２の行き先階床は互いに異なっている。したがって同じ行き先階床をもつ人は、同じアクセス階床に案内され、それによってエレベータのかごの移動時間が著しく削減される。
【００１０】
したがって特にラッシュアワーで、効率的な人の搬送を可能にすることができる。いくつかのアクセス階床が効率的に利用される、本発明による方法によって人の流れを案内することができる。この建物内で運送されようとする全ての人が一アクセス階床で１つのエレベータのかごを待ち、行き先呼び入力に応じてエレベータのかごが割り当てられなければならないという状況が避けられる。さらに第１の会社だけでなく第２の会社の人も第１および第２のアクセス階床でエレベータのかごに乗り、そこからその行き先階床に移動する状況が回避される。この場合エレベータのかごは、第１だけでなく第２のアクセス階床ならびに第１および第２の行き先階床でも停止しなければならなくなる。特に輸送用に２台のエレベータのかごが設けられている場合、１つのエレベータのかごを第１のアクセス階床から直接第１の行き先階床に移動させ、第２のエレベータのかごを第２のアクセス階床から第２の行き先階床に移動させるとより効率的である。効率的な輸送のための唯一の前提条件は、この文脈では人が的確なアクセス階床でエレベータのかごに乗ることである。
【００１１】
本発明の有利な実施形態は従属請求項から推測することができる。
【００１２】
本発明の改良形態では行き先階床の第１のグループを第１のアクセス階床に固定的に割り当て、行き先階床の第２のグループを第２のアクセス階床に固定的に割り当てることが可能である。この場合第１と第２のグループは基本的に異なる行き先階床を備えることができる。しかし行き先階床の第１および第２のグループが共通階床、例えば乗換え階床に行くことも可能である。したがって起こりうる中間階停止の削減が達成され、それによって移動時間が最小化される。行き先階床のグループを１つのアクセス階床に割り当てることは、会社が事務所をいくつかの階床で有しているときに特に有益である。したがってこのアクセス階床で人が有するのは、会社したがってこのアクセス階床が割り当てられているグループの行き先階床の間で選択をする可能性だけである。
【００１３】
人の第１または第２のアクセス階床への割り当てが、人のそれぞれの行き先階床にしたがってエレベータ制御とは独立して建物の制御ユニットにより行われると特に有利である。
【００１４】
例えば、行き先階床のそれぞれのアクセス階床に固定的な割り当てを図示する指示板を使用することができる。第１の会社に行こうとする人は、それぞれのアクセス階床を読み取り、そこに行くことができる。これは、行き先階床のアクセス階床への割り当てが可変であり、したがって会社の従業員は、どのアクセス階床から彼等の行き先階床にエレベータのかごが移動するかに関連して毎日再度向かい先を変えなければならない場合に特に有利である。行き先階床のアクセス階床への割り当てが変化しない場合には人のアクセス階床への割り当てまたは案内は建物の恒久的な刻文によって実現することができる。
【００１５】
本発明の特別な実施形態では、アクセス階床へのアクセス許可が建物の制御ユニットでチェックされる。したがってアクセス許可をもたない人はそれぞれのアクセス階床に行かないことが保証される。建物の制御ユニットは、それぞれのアクセス階床をそのアクセス許可に応じて人に割り当て、指示することができる。この文脈では、「階床」または「アクセス階床」という文言は一般的な意味を有し、戸の側面に位置しているアクセス領域またはロビーを表す。
【００１６】
アクセス許可のチェックは、例えばＩＤカードに記憶されているアクセスコードの無線伝送により行うことができる。人はＩＤカードを携行する。建物への入館にあたり、アクセスコードが建物の制御ユニットにより無線でまたは読取り機への挿入を通しての接触をベースにして調べられる。アクセス許可はアクセスコードに応じて決定される。アクセス許可がある場合には戸または柵が開かれ、アクセス階床へのアクセスを解放する。アクセス階床へのアクセスを得るために入力装置を用いてアクセスコードを入力することも可能である。その目的のために人は、彼または彼女の行き先呼びまたはアクセスコードを入力装置に入力し、ディスプレイには、そこからエレベータのかごが直接所望の行き先階床に移動するそれぞれのアクセス階床が示される。したがって公共的な階床への制限されたアクセスを人に与えることが可能である。非公開階床への入力がされるとアクセスが拒否される。それに反して人が公共的な行き先階床に対する許容される行き先呼びを入力する場合、そこからエレベータのかごが公共的な行き先階床に移動するアクセス階床へのアクセスが可能にされる。アクセス許可は機能的な方法で実行することもできる。物理的なアクセスが戸または柵によって拒否されるのではなく、許可が無いとエレベータを呼ぶことができないのである。この場合、エレベータの戸自体が物理的な障害を表す。
【００１７】
例えばアクセス許可の調査が、それぞれの人がアクセス階床に入る前に行われることで人の個々の流れの連携を行うことができる。アクセス許可の決定を厳密に行った後に戸または柵が開かれ、それぞれの人がアクセスを許可されたアクセス階床につながる。
【００１８】
人の流れが、本発明による方法によって効率的に連携され、それによって例えば最上階のレストランに行こうとする人は、建物への入館時に行き先呼び「レストラン」を入力し、その結果そこからエレベータのかごがレストランのある階床に直接移動するアクセス階床が割り当てられる。レストランの訪問者はその他の行き先階床に到達することができない。
【００１９】
その上に、あるアクセス階床へのアクセス許可のチェックに成功した後、アクセス許可の適切な形態を有する人はエレベータのかご内で行き先階床を変更することができることも可能である。したがって特別なアクセス許可をもつ人（ＶＩＰ）は、エレベータのかごに乗り込んだ後に固定的に割り当てられた行き先階床に輸送されるだけでなくその他の行き先階床へも行くことができることが保証される。
【００２０】
本発明による方法は、エレベータ装置がいくつかのエレベータのかごを有し、第１のエレベータのかごが第１のアクセス階床をサービスし、第２のエレベータのかごが第２のアクセス階床をサービスする場合に特に効率的に使用することができる。その上に人を運搬するためにさらなるエレベータのかごがエレベータ装置に配置されている場合には、いくつかのエレベータのかごが１つのアクセス階床から固定的に１つの行き先階床に移動し、または固定した割り当てがされていないその他の行き先階床に人を輸送するために追加のエレベータのかごを用意することが可能である。
【００２１】
本発明の好ましい実施形態では、行き先階床は特定の時間にだけ固定的にアクセス階床に割り当てられる。行き先階床のアクセス階床への固定的な割り当ては、増加した輸送要求を効率よく賄うために特にピーク時に提供される。ピーク時とピーク時の間、エレベータのかごは建物内の全ての行き先階床に到達することができる。
【００２２】
本発明の好ましい改良形態では、行き先階床のアクセス階床への固定的な割り当てを行き先呼び制御と組み合わせて使用することが可能である。この変形は、特に固定的に割り当てられた行き先階床のグループをサービスするいくつかのエレベータのかごが存在するときにもたらされる。
【００２３】
エレベータ装置をもつ建物内で人を輸送するための、本発明による一構成の場合、エレベータ装置は、少なくとも１つのエレベータのかごを備え、少なくとも２つのアクセス階床が設けられ、それぞれ少なくとも１つの行き先階床が行き先階床の各々に割り当てられている。
【００２４】
有利な実施形態では、アクセスターミナルに有利に接続されている建物の制御ユニットが、アクセス階床への人の割り当てまたは案内をその行き先階床にしたがって行うとされている。アクセスターミナルは建物の制御ユニットの部分として構築することができる。アクセスターミナルは電線を使用しない方式で、接触をベースにして、またはユーザの入力によりアクセスコードを受ける。アクセス許可はこのアクセスコードから、直接アクセスターミナルでまたは建物の制御ユニットで決定され、アクセス階床が人に示され、または対応するアクセス階床へのアクセスが与えられる。
【００２５】
さらに有利な実施形態では、アクセス許可に基づいて開かれまたは閉じられる戸または柵の形態で少なくとも１つのアクセス障害が設けられる。
【００２６】
さらに行き先階床のアクセス階床への関連を示すための指示装置が設けられていることが好ましい。指示装置は、可変の、アクセス階床の行き先階床への割り当てを指示するためにディスプレイの形態で構築することが可能である。しかし割り当てが固定されている場合には、指示装置は簡単な情報板として構築することもできる。
【００２７】
本発明の特別な改良形態では、人を効率的に輸送するために互いに区切られたいくつかの部分かごをもつエレベータのかごが使用される。この目的のためにエレベータのかごは、例えば垂直にまたは水平に分割される。エレベータのかごを垂直に分割する場合には２つの側部からエレベータのかごに乗り込むことができ、アクセス階床の１つの側部から乗込み可能な部分かごは特定の行き先階床へ移動し、アクセス階床の他方の側部から乗込み可能な部分かごは行き先階床の対応する他方の側部へ移動し、アクセスおよび行き先階床の対応する側部は互いに分割されている。同様にエレベータのかごを水平方向に分割して上側および下側部分かごとすることが可能である。したがって下側アクセス階床を経由して下側の部分かごに乗り込む人は、下側の行き先階床へ輸送される。上側アクセス階床で上側の部分かごに乗り込む人は、同じエレベータのかごによって、下側行き先階床の正確に一階床上に配置されている行き先階床に輸送される。したがって人が互いに邪魔されることなく輸送されることが保証される。
【００２８】
本発明は、図面において略図で図示する実施形態例に基づいて下記により具体的に説明される。
【発明を実施するための最良の形態】
【００２９】
エレベータ装置１０および７つの階床をもつ建物の略図を図１に示す。そこで階床Ｓ１およびＳ２はアクセス階としてつくられ、階床Ｓ４からＳ７は行き先階としてつくられている。エレベータ装置１０内で人をそれぞれのアクセス階床Ｓ１、Ｓ２から行き先階床Ｓ４、Ｓ５、Ｓ６またはＳ７へ輸送するためにエレベータのかご１１が動いている。アクセス階床Ｓ１は、人がアクセスターミナル１３でアクセス許可を確認した後、その人の車両２３が向かう地下駐車場である。地下駐車場またはアクセス階床Ｓ１でエレベータのかご１１に乗る人は行き先階床Ｓ４か行き先階床Ｓ５に輸送される。アクセス階床Ｓ２でエレベータのかご１１に乗り込む人は行き先階床Ｓ５、Ｓ６またはＳ７に輸送される。アクセス階床Ｓ２へのアクセスは、アクセスターミナル１３でアクセス許可をチェックした後でだけ開かれる戸１５によってブロックされている。２つのアクセスターミナル１３は、指示されているアンテナを介して無線でまたは接続線を経由して建物の制御ユニット１２に接続されている。行き先階床の第１のグループＧ１は行き先階床Ｓ４およびＳ５を備え、第１のアクセス階床Ｓ１から到達可能である。行き先階床Ｓ５、Ｓ６およびＳ７をもつグループＧ２は第２のアクセス階床Ｓ２に割り当てられている。
【００３０】
本発明による方法を使用するためのエレベータ装置１０の代替実施形態を図２に示す。図２によるエレベータ装置１０は、人を輸送するために配置された４台のエレベータのかご１１を有する。エレベータ装置１０は、４つの別個のアクセス階床Ｓ１ａ、Ｓ１ｂ、Ｓ２ａおよびＳ２ｂを備える。アクセス階床Ｓ１ａでエレベータのかご１１に乗り込む人は行き先階床Ｓ６に輸送される。アクセス階床Ｓ１ｂでエレベータのかご１１に乗り込む人は行き先階床Ｓ７に輸送される。第２のアクセス階床Ｓ２ａでエレベータのかご１１に乗り込む人は行き先階床Ｓ３およびＳ４に輸送される。それに反して第２の行き先階床の反対側Ｓ２ｂでエレベータのかご１１に乗り込む人は行き先階床Ｓ４のみに輸送される。アクセス階床Ｓ１ａ、Ｓ１ｂ、Ｓ２ａおよびＳ２ｂそれぞれは、どの場合でもアクセスターミナル１３でのアクセス許可のチェックの後にだけアクセスのために戸または柵１５を経由して開かれる。個々のエレベータのかご１１が移動することができない行き先階床Ｓ４、Ｓ５、Ｓ６およびＳ７は大きなバツ印で規定されている。その他のエレベータ装置（図示せず）を経由してあるいは階段でのみアクセス可能である行き先階Ｓ５もある。この種の行き先階床Ｓ５は、例えばそれ程の人の交通量を伴わない店舗または安全区域として用いられる場合例えば手動によるエレベータのかごの制御によってのみ到達可能である。
【００３１】
エレベータ装置１０のさらなる代替実施形態が図４ａ、図４ｂと共に図３で説明されている。図３に図示されているエレベータ装置１０はいくつかのエレベータ昇降路１８、１９、２０、２１および２２を備える。中央に配置されているエレベータ昇降路１９は、建物内で人を行き先または乗換え階床と名付けられたＳ８ｂ、Ｓ９ａ、およびＳ９ｂに分配するために働く。図示されていない何台かのエレベータのかご１１がエレベータの昇降路１９内で動いている。その場合別個のエレベータのかご１１だけでなく、図４ａに図示するように垂直に２つの別個の部分かご１６ａおよび１６ｂに分割された複式のエレベータのかご１６および１７も使用することができる。複式のかご１７を２つの部分かご１７ａおよび１７ｂに水平に分割することも可能である。水平に分割された複式かご１７を使用する場合、第１のアクセス階床Ｓ１ｂから部分かご１７ｂに乗り込む人は、行き先または乗換え階床Ｓ８ｂに輸送される。アクセス階床Ｓ２ｂで部分かご１７ａに乗り込む人は、アクセス階床Ｓ１ｂからの人とは別個に行き先または乗換え階床Ｓ９ｂに搬送される。アクセス階床Ｓ１ｂまたはＳ２ｂの１つを許可された人（ＶＩＰ）のためにアクセス可能にし、その結果その人をその他の人とは別にまたエレベータ内あるいは乗換え階床でその他の人と接触することなく別の行き先階床Ｓ８ｂまたはＳ９ｂに輸送することが可能である。例えば経営幹部または役員会のメンバーを運ぶためにこれが考えられる。
【００３２】
図４ａによる垂直に分割された複式かご１６の場合、アクセス階床Ｓ２ａで部分かご１６ａに乗り込む人は、行き先または乗換え階床９ａに輸送され、そこでエレベータ昇降路２１内のエレベータのかご１１によってその人の事務所の領域に移動することができる。対向するアクセス階床Ｓ２ｂから部分かご１６ｂに乗り込む人は異なる行き先および乗換え階床９ｂへ輸送され、その他のエレベータ昇降路２２内のエレベータのかご１１により建物のほかの事務所領域に移動することができる。したがって、例えば、エレベータの昇降路２１からアクセス可能でありその会社Ａが関連する建物の領域にいずれの場合にも移動する会社Ａの従業員へ、その会社Ａの従業員をもっぱら輸送する別個の部分かご１６ａを割り当てることができる。会社Ｂの従業員はアクセス階床Ｓ２ｂから別個に、エレベータ昇降路２２によって開かれる建物の部分へ輸送される。
【００３３】
図１、２、または３によるエレベータ装置１０を効率的に利用するために求められる建物内の訪問者または人の流れの連携が図５ａおよび５ｂに図示されている。建物への入館時、アクセスコードが入力または伝送されてアクセスターミナル１３によるアクセス許可のチェックが冒頭になされる。アクセスコードは、ＩＤカードまたは入門証に記憶することができる。それぞれのアクセス許可に応じて、ここでは柵１５ａ、１５ｂの形態のアクセス障害１５が、図５ａに図示するように開かれる。どのアクセス許可が提示されるかに応じて例えば会社Ａに対しては左側の柵１５ａが開き、または会社Ｂに対しては右側の柵１５ｂが開く。アクセス階床Ｓ１、Ｓ２の行き先階床Ｓ６、Ｓ７への割り当ては指示装置１４に指示される。会社Ａの従業員は第１のアクセス階床Ｓ１に案内される。会社Ｂの従業員は、第２のアクセス階床Ｓ２に案内され、それによって従業員は、もっぱらアクセス階床Ｓ１、Ｓ２または駐車階への案内を経由してそこから固定的に割り当てられた行き先階床Ｓ６、Ｓ７に行くアクセス階床Ｓ１、Ｓ２へ割り当てられる。
【００３４】
本発明による改良形態を通してエレベータのかご１１に少数の異なる移動行き先のみをサービスさせ、それによってエレベータ装置１０のより高度な性能能力を達成することが可能である。
【００３５】
上述の実施形態例では、いずれの場合もアクセス階床Ｓ１、Ｓ２の行き先階床Ｓ４、Ｓ５、Ｓ６、Ｓ７への固定的な割り当てが図示されている。しかし、簡単な実施形態では、例えばエレベータのかご１１がアクセス階床Ｓ１から基本的に奇数番号の行き先階床Ｓ３、Ｓ５、Ｓ７に移動し、第２のアクセス階床Ｓ２でのエレベータのかご１１が偶数番号の行き先階床Ｓ４およびＳ６に移動することも可能である。
【００３６】
本発明によるアイディアは類似の方式でその他の用途にも応用することができる。いくつかの階床にわたっているレストランの場合それぞれのレストランへの訪問者を、駐車場ビルに乗り入れるときに既に訪問者の車両２３のための、訪問者の所望のレストランに対応する駐車スペースへ割り当てることができる。さらに毎回アクセス階床（そのアクセス階床のために駐車スペースがそれぞれに割り当てられた行き先階床に対応し、そのアクセス階床からエレベータのかごが直接劇場または所望の映画館に移動する）を経由して劇場または映画館に到達することが可能である。例えばアクセス階床へのアクセスコードを映画館訪問者のための入場券に記憶することができる。駐車場ビルに乗り入れるときに、所望の映画が上映されている映画館が位置する階床に対して入場券のアクセスコードが調べられる。訪問者へは指示装置１４上に、そこからエレベータのかご１１が直接映画館のある階床へ移動する対応する駐車階またはアクセス階床Ｓ１、Ｓ２が指示される。
【００３７】
本方法および本構成の改良形態を通して、本発明により、人の輸送のための少ない待ち時間および少ない行き先時間、つまり行き先階床への移動時間しか必要としない特定の行き先階床への急行を可能にすることができる。さらに本発明による方法を通して、エレベータのかご１１で許可された人（ＶＩＰ）が同じエレベータのかご１１内にその他の乗客または非ＶＩＰの乗客を伴うことなく、可及的速やかにその移動行き先へ移動することが可能になる。
【図面の簡単な説明】
【００３８】
【図１】本発明によるエレベータ装置の略図である。
【図２】本発明による代替エレベータ装置の略図である。
【図３】本発明によるさらなる代替実施形態の略図である。
【図４ａ】垂直の区分をもつエレベータのかごを示す図である。
【図４ｂ】水平の区分をもつエレベータのかごを示す図である。
【図５ａ】本発明による人の案内およびアクセス階床のディスプレイの略図である。
【図５ｂ】本発明によるエレベータ装置および人の案内の略図である。
【図１】
2008521731.tif 000003
【図２】
2008521731.tif 000004
【図３】
2008521731.tif 000005
【図４ａ】
2008521731.tif 000006
【図４ｂ】
2008521731.tif 000007
【図５ａ】
2008521731.tif 000008
【図５ｂ】
2008521731.tif 000009
【国際調査報告】
2008521731.tif 000010
2008521731.tif 000011
2008521731.tif 000012
2008521731.tif 000013